(57)【特許請求の範囲】
【請求項１】
一端に封止部が形成されたバルブと；
このバルブに収容されたフィラメントと；
上記封止部とフィラメントとの間のバルブ内に設けられた遮蔽部材と；
を具備し、上記バルブの上記遮断部材が位置する部分の最大径をａ、遮蔽部材のバルブ径方向の最小幅をｂとした場合、
ａ≦２．５ｂ
としたことを特徴とする白熱電球。
【請求項２】
上記遮蔽部材は、リード線に支持されたビードガラスにより構成されていることを特徴とする請求項１に記載の白熱電球。
【請求項３】
バルブは、球または楕円球もしくはこれらに類似した球形部と、これに連なる円筒部および封止部を有し、上記球形部にフィラメントが収容されているとともに、円筒部に遮蔽部材が収容されていることを特徴とする請求項１または請求項２に記載の白熱電球。
【請求項４】
バルブには、内外いずれかの表面に可視光を透過する赤外線反射膜が設けられていることを特徴とする請求項１ないし請求項３のいずれか一に記載の白熱電球。
【請求項５】
フィラメントの一端と遮蔽部材の最小幅部の外周とを結んだ線の延長線が上記封止部の外側を通ることを特徴とする請求項１ないし請求項４のいずれか一に記載の白熱電球。
【請求項６】
請求項１ないし請求項５のいずれか一に記載の白熱電球；
この白熱電球が組み込まれた反射体と；
を備えたことを特徴とする反射形照明装置。
【発明の詳細な説明】
【０００１】
【産業上の利用分野】
本発明は、片封止形ハロゲン電球のような白熱電球およびこれを用いた反射形照明装置に関する。
【０００２】
【従来の技術】
片封止形ハロゲン電球は、石英からなるバルブの一端に圧潰封止構造の封止部が形成されており、このバルブに収容されたフィラメントはリード線を介して上記封止部に封着されたモリブデンなどの金属箔導体に接続されている。
【０００３】
ところで、寿命末期になってフィラメントが断線した場合、断線したフィラメントのそれぞれ脚部間、またはこれら脚部に接続されているリード線の端部間に放電が発生することがある。このような放電が発生すると大電流が流れるので、通常は電源回路に介挿されたヒューズが溶断してランプへの通電を絶ち、不点灯にする。
【０００４】
【発明が解決しようとする課題】
しかしながら、希にではあるが、上記放電が、溶断したフィラメントの一方と、これと電気的に対向電位となる他方のリード線とモリブデン箔との接続箇所との間に発生することがある。つまり、放電のアークがフィラメントと封止部との間に伸びて発生することがあり、このような場合は、封止部が過熱されて軟化し、バルブの破損を招く心配がある。
【０００５】
特開昭５４−８２８７９号公報には、片封止形白熱電球においてフィラメントと封止部との間のバルブ内に絶縁遮蔽部材を設けることが開示されている。このような絶縁遮蔽部材はフィラメントの熱が封止部に伝わるのを抑制する作用を奏するが、上記放電のアークは円弧形に伸びるので絶縁遮蔽部材の外側を迂回して封止部に達し、よって上記公報の手段のみでは寿命末期のフィラメント溶断時に、不所望な放電による封止部の損傷を防止することは期待できないという問題がある。
【０００６】
本発明はこのような事情にもとづきなされたもので、その目的とするところは、寿命末期にフィラメントの断線により放電が発生した場合、この放電が封止部まで伸びるのを防止し、バルブの破損を未然に防ぐことができる白熱電球および反射形照明装置を提供しようとするものである。
【０００７】
【課題を解決するための手段】
請求項１の発明は、一端に封止部が形成されたバルブと；このバルブに収容されたフィラメントと；上記封止部とフィラメントとの間のバルブ内に設けられた遮蔽部材と；を具備し、上記バルブの上記遮断部材が位置する部分の最大径をａ、遮蔽部材のバルブ径方向の最小幅をｂとした場合、  ａ≦２．５ｂとしたことを特徴とする白熱電球である。
【０００８】
請求項２の発明は、上記遮蔽部材は、リード線に支持されたビードガラスにより構成されていることを特徴とする請求項１に記載の白熱電球である。
請求項３の発明は、バルブは、球または楕円球もしくはこれらに類似した形状の球形部とこれに連なる円筒部および封止部を有し、上記球形部にフィラメントが収容されているとともに、円筒部に遮蔽部材が収容されていることを特徴とする請求項１または請求項２に記載の白熱電球である。
【０００９】
請求項４の発明は、バルブには、内外いずれかの表面に可視光を透過する赤外線反射膜が設けられていることを特徴とする請求項１ないし請求項３のいずれか一に記載の白熱電球である。
【００１０】
請求項５の発明は、フィラメントの一端と遮蔽部材の最小幅部の外縁とを結んだ線の延長線が上記封止部の外側を通ることを特徴とする請求項１ないし請求項４のいずれか一に記載の白熱電球である。
【００１１】
請求項６の発明は、請求項１ないし請求項５のいずれか一に記載の白熱電球と；この白熱電球が組み込まれた反射体と；を備えたことを特徴とする反射形照明装置である。
【００１２】
【作用】
請求項１の発明によると、バルブの遮蔽部材が位置する部分の最大内径ａと遮蔽部材のバルブ径方向の最小幅ｂとの関係を、ａ≦２．５ｂとしたから、寿命末期にフィラメントの断線により放電が発生しても、この放電が封止部まで伸びるのが防止される。すなわち、ａ＞２．５ｂの場合は、バルブが相対的に太くなるからアークが円弧形に成長し易くなるとともに遮蔽部材の最小幅の外面とバルブの内面との間に大きな隙間が生じ、円弧形状に伸びる上記放電が遮蔽部材を迂回して封止部まで伸びるようになるが、ａ≦２．５ｂにすれば、バルブが相対的に細くなるから、アークが円弧形に成長しようとしてもその膨らみがバルブ壁に遮られるようになり、よってアークの成長が規制され、アークの伸びが抑制される。しかも遮蔽部材の最小幅の外面とこの位置のバルブの内面との間が狭隘な隙間となり、この隙間により放電が封止部まで通過するのが抑止される。よって、封止部の破損が防止される。
【００１３】
請求項２の発明によれば、遮蔽部材がリード線に支持されたビードガラスにより構成されているから、遮蔽部材の支持構造が簡単であるとともに、一対のリード線の間隔が遮蔽部材により一定に保たれる。
【００１４】
請求項３の発明によれば、球形部にフィラメントが収容されているとともに、円筒部に遮蔽部材が収容されているから、放電が封止部側に越え難い。すなわち、円筒部は球形部に比べて細く形成されるので、円筒部に遮蔽部材を収容すると、この遮蔽部材の外周と円筒部の内面との間は一層狭隘な隙間となり、放電が通過し難くなる。
【００１５】
請求項４の発明によれば、バルブの内外いずれかの表面に可視光を透過する赤外線反射膜が設けられているから、フィラメントから放出される赤外線が赤外線反射膜で反射されてフィラメントに戻され、フィラメントが加熱されるから効率が向上する。そして、正常点灯中において、フィラメントの熱は遮蔽部材に遮られて封止部に達し難くなり、封止部の温度上昇を防止することができる。
【００１６】
請求項５の発明によれば、フィラメントと封止部は遮蔽部材を挾んで相互に陰になるから、点灯中においてフィラメントの熱が遮蔽部材に遮られて封止部に達し難くなり、封止部の温度上昇を一層確実に防止することができる。
請求項６の発明によれば、請求項１ないし請求項５に記載の白熱電球の利点を生かした反射形照明装置を提供することができる。
【００１７】
【実施例】
以下本発明について、図１ないし図５に示す第１の実施例にもとづき説明する。
この実施例は片封止形ハロゲン電球およびこれを用いた反射形照明装置に適用した例を示し、図１ないし図３は光源として使用される片封止形ハロゲン電球の構成を示す図、図４はその作用を説明する図、図５は反射形照明装置の図である。
【００１８】
図１ないし図３に示す片封止形ハロゲン電球１は、石英ガラスからなる発光管バルブ２の一端に圧潰封止部３が形成されており、この封止部３に連続して円筒部４が形成されており、さらにこの円筒部４に連続して球形部としての楕円球部５が形成されている。楕円球部５は上記封止部３およびその反対側方向に沿う長軸を有し、この長軸方向がバルブ中心軸Ｏ1 −Ｏ1 となっている。なお、楕円球部５の楕円形状は長軸／短軸の割合が１４／１０程度に設定されている。
【００１９】
楕円球部５の他端にはバルブ中心軸Ｏ1 −Ｏ1 上に位置して細管６が突設されている。この細管６は、実質的に排気管を封止切りして残った突出部を利用している。
【００２０】
上記バルブ２の外面（内面でも可）には可視光透過赤外線反射膜７が形成されている。上記赤外線反射膜７は、図３に示すように、高屈折率層７１…低屈折率層７２…とを交互に、例えば合計６〜８０層の多層膜として構成したものであり、本実施例では合計３３層の積層構造としてある。このような赤外線反射膜７は多層干渉作用により赤外線を反射し、しかしながら可視光を透過する作用を奏する。  上記高屈折率層７１…は、酸化チタン（ＴｉＯ2 ）を主成分として構成されており、また低屈折率層７２…は、酸化ケイ素（シリカ＝ＳｉＯ2 ）を主成分としている。
【００２１】
上記バルブ２内には、フィラメント８が収容されている。フィラメント８は、タングステンワイヤにて２重コイルに形成されており、そのコイル軸Ｏ2 −Ｏ2 が上記バルブ中心線Ｏ1 −Ｏ1 と一致するように配置されている。また、フィラメント８は、楕円球部５の第１の焦点Ｆ1 および第２の焦点Ｆ2 に概略跨がる長さを有し、フィラメント８の端部はこれら焦点Ｆ1 およびＦ2 の上または焦点を含むその近傍に配置されるようになっている。
【００２２】
上記フィラメント８は、一対の内部リード線１０、１１間に架設されている。これら内部リード線１０および１１は、基端部が記圧潰封止部３に封着されたモリブデンＭｏなどからなる金属箔導体１２，１３に接続されており、先端部はバルブ２の円筒部４を通って楕円球部５に導かれている。これら一対の内部リード線１０、１１は、途中が円筒部４内において本発明の遮蔽部材に相当するビードガラス９により連結されており、これによりこれら内部リード線１０、１１は相互の間隔が保たれている。
【００２３】
上記ビードガラス９は例えば一対の内部リード線１０、１１が並ぶ方向に長く伸びる長円形状または棒状をなしており、円筒部４内に配置されている。ビードガラス９の外周面は円筒部４の内周面に接近されており、このビードガラス９の最小幅をｂとし、このビードガラス９が位置している箇所のバルブ２の最大内径、本例の場合は円筒部４の最大内径をａとした場合、
ａ≦２．５ｂ
の関係をなすように形成されている。ちなみに、バルブ２の最大内径ａは１０mm、ビードガラス９の最小幅ｂは４．８mmであり、ａ＝２．１ｂとなっている。
【００２４】
また、上記ビードガラス９はフィラメント８と封止部３との間に設けられているから、フィラメント８と封止部３はビードガラス９を挾んで相互に陰となるように配置されている。すなわち、フィラメント８の端部とビードガラス９の外縁を結んだ線の延長線Ｌは、封止部３の外を通過するようになっており、言い換えるとフィラメント８の端部からビードガラス９を臨んだ場合のビードガラス９外縁の展開角θの中に封止部３が存在されるようになっている。
【００２５】
上記一対の内部リード線１０、１１の途中はビードガラス９を貫通して楕円球部５に伸びており、一方の内部リード線１０は楕円球部５内を他端側に伸びて前記細管６に差し込まれており、この差し込み部が細管６に機械的に係止されて係止部１０ａをなしている。そしてこの内部リード線１０の先端は、上記細管６内の係止部１０ａからさらにバルブ中心線Ｏ1 −Ｏ1 に沿ってフィラメント８の他端側に伸びている。
【００２６】
前記フィラメント８は両端部にコイル形状の脚部８ａ、８ｂを有しており、これら脚部８ａ，８ｂが上記内部リード線１０、１１のそれぞれ先端部に継線されている。これによりフィラメント８はこれら内部リード線１０、１１間に架設されている。
【００２７】
上記圧潰封止部３に封着されたモリブデンＭｏなどからなる金属箔導体１２，１３には、図２に示すように、外部リード線１４、１５が接続されている。
そして、上記バルブ２の圧潰封止部３は、セラミック製の絶縁ベース１６が被冠されており、この絶縁ベース１６は圧潰封止部３に対して接着剤１７により接合されている。絶縁ベース１６は、捩じ込み形口金１８および外部端子１９を有し、上記外部リード線１４、１５はこれら捩じ込み形口金１８および外部端子１９に接続されている。
【００２８】
このような構成のハロゲン電球１は、図５に示すように、反射体２０に収容されて使用される。
反射体２０は、反射面２１が形成されたリフレクタ２２を有し、このリフレクタ２２にはセラミックなどからなる口金２３が接合されている。この口金２３には捩じ込み形口金２４および外部端子２５が設けられており、これら捩じ込み形口金２４および外部端子２５を介して電源に接続されるようになっている。
【００２９】
上記リフレクタ２２はガラス、金属、樹脂などからなり、この内面に形成された反射面２１はアルミニウムなどを蒸着して形成してもよいが、本発明の光干渉膜により形成することもできる。この場合の光干渉膜は、図示しないが図３の場合と似ており、高屈折率層と低屈折率層とを交互に多層積層として構成されており、これらの多層干渉作用により可視光を反射し、しかしながら赤外線を透過する作用を奏し、いわゆる可視光反射膜とされている。よって反射体２０はダイクロイックミラーとなっている。
【００３０】
上記ハロゲン電球１は、絶縁ベース１６に取り付けた捩じ込み形口金１８を、上記反射体２０の口金２３に設けた図示しないソケットに脱着可能に取り付けることにより反射体２０の口金２４および外部端子２５に電気的に接続されるようになっている。
【００３１】
このような構成の片封止形ハロゲン電球の作用を説明する。
外部リード線１４，１５を通じて、電源の電圧を加えるとフィラメント８に電流が流れ、よってフィラメント８が発光する。この光は周囲に放出され、バルブ２の楕円球部５を透過して外部に放射される。そして、この光が楕円球部５の外面に形成した赤外線反射膜７を透過する時に可視光は透過されるが赤外線は反射される。
【００３２】
上記赤外線反射膜７で反射された赤外線は、バルブ２の内部に戻され、この帰還した赤外線はフィラメント８を加熱する。この場合、フィラメント８はそのコイル軸Ｏ2 −Ｏ2 がバルブ中心線Ｏ1 −Ｏ1 と一致するように配置されているから、赤外線反射膜７で反射された赤外線はフィラメント８に効率よく戻される。
【００３３】
しかも、本実施例の場合、フィラメント８は、楕円球形をなすバルブ２の第１の焦点Ｆ1 および第２の焦点Ｆ2 に跨がる長さ以上の長さを有し、端部はこれら焦点Ｆ1 およびＦ2 の上に配置されているから、第１の焦点Ｆ1 から出た赤外線は第２の焦点Ｆ2 に戻り、また第２の焦点Ｆ2 から出た赤外線は第１の焦点Ｆ1 に戻るので、赤外線の帰還率、つまり回収率が高くなる。
【００３４】
よって、フィラメント８は電源から供給される電力エネルギーに加えて上記赤外線反射膜７で反射された赤外線によっても熱エネルギーが与えられるので、温度上昇が促され、白熱化が促される。したがって、発光強度を、赤外線反射膜を設けない場合と同等レベルにしようとすれば、赤外線反射膜７で反射されてフィラメント８を加熱する熱エネルギーの分だけ電源から供給される電力エネルギーを少なくすることができ、消費電力を節約することができる。
【００３５】
上記構成のハロゲン電球１は、図４に示す反射体２０に収容された場合、バルブ２および赤外線反射膜７を透過した可視光は、光干渉作用をなす可視光反射膜により形成された反射面２１で反射され、リフレクタ２２の前面開口部から前方を照射する。この場合、赤外線の多くは赤外線反射膜７によりバルブ２内に戻されるからリフレクタ２２に達する割合が少なく、リフレクタ２２の温度上昇が防止される。しかも反射面２１で赤外線はリフレクタ２２の壁側に透過されてリフレクタ２２の背部に逃がされるから、赤外線がリフレクタ２２の前方に照射されず、温度上昇を嫌う可視光照射に有効となる。
【００３６】
また、上記反射形照明装置によれば、ハロゲン電球１の効率が向上するから、その利点を活用することができ、効率の優れた照明装置となる。
そして、リフレクタ２２の反射面２１に可視光反射赤外線透過膜をコーティングしてダイクロイックミラーとした場合は、照射面の温度上昇をさらに抑止することができる。
【００３７】
上記実施例においては、遮蔽部材が位置している箇所のバルブ２の最大内径、つまり円筒部４の最大内径をａ、遮蔽部材に相当するビードガラス９の最小幅をｂとした場合、ａ≦２．５ｂとしたから、寿命末期にフィラメント８が断線して放電が発生しても、この放電が封止部３まで伸びるのが防止される。寿命末期にフィラメント８が断線した場合、これら断線にて分断された通電部材間で放電が発生することがある。通常は図４のＡで示すように、フィラメント８の脚部８ａ、８ｂ間、またはこれら脚部８ａ、８ｂに近い一対の内部リード線１０、１１間でアークが飛ぶ。この場合は、大電流が流れるので電源回路のヒューズが溶断して電源回路を絶つ。
【００３８】
しかし、希ではあるがアークが伸びて、図４のＢで示すように、フィラメント８の一方の脚部８ａまたはこれに近い一方の内部リード線１０と、封止部３の他方のリード線１１とモリブデン箔１３との接続部との間でアークが生じることがある。このような場合、ビードガラス９によりアークの伸びを遮蔽し、封止部３にアークスポットを発生させないようにするのが望まれる。そこで、ａ≦２．５ｂとすることにより、アークの伸びを防止した。すなわち、ビードガラス９部分のバルブの最大内径ａがａ＞２．５ｂの場合は、円筒部４が太くなるからアークが円弧を描き易くなり、加えてビードガラス９の最小幅部の外面と円筒部４の内面との間に大きな隙間が生じ、よって円弧形状に伸びるアークがビードガラス９を迂回して封止部３まで伸びる。これに対し、ａ≦２．５ｂにすれば、円筒部４が細くなるからアークが円弧形に成長しようとしてもその膨らみがバルブ壁に遮られて成長が規制され、アークの伸びが抑制される。しかもビードガラス９の最小幅部の外面と円筒部４の内面との間が狭隘な隙間となり、このビードガラス９により放電の通過が規制される。よって封止部３にアークスポットが発生されなくなり、封止部３の破損が防止されることになる。
【００３９】
下記表１は、楕円球部５の最大内径をａ、ビードガラス９の最小幅をｂとした場合、これらの寸法を種々変えて封止部３に破損が発生する割合を調べた結果を示すデータである。
【００４０】
【表１】
0003674078.tif 000002
【００４１】
上記表１の実験結果から、ａ≦２．５ｂとすることにより、封止部３の破損が防止されることが確認される。また、バルブの径が細くなる程、アークの飛び越えが少なくなることも判る。
【００４２】
また、上記実施例の場合、リード線１０、１１に取り付けられたビードガラス９が本発明の遮蔽部材を構成しているから、他に格別な遮蔽部材が不要であり、かつ遮蔽部材の支持構造が簡単になるとともに、一対のリード線１０、１１の間隔がこの遮蔽部材（ビードガラス９）により一定に保たれる。
【００４３】
さらに、上記実施例の場合、楕円球形部５にフィラメント８が収容されているとともに、円筒部４にビードガラス９が収容されているから、放電が封止部３側へ越え難い。すなわち、円筒部４は楕円球部５に比べて細く形成されるので、円筒部４にビードガラス９を収容すれば、ビードガラス９の外周と円筒部４の内面との間が狭隘な隙間となり、放電が通過し難くなる。
【００４４】
そして、バルブ２の表面に赤外線反射膜７が設けられる場合は、フィラメント８から放出される赤外線が赤外線反射膜７で反射されてフィラメント８に戻され、フィラメント８が加熱されることから効率が向上するが、フィラメント８の温度が赤外線反射膜７を設けない場合に比べて上昇する。このようなフィラメント８の熱は封止部３に輻射熱として伝えられ封止部３の温度上昇を招き、モリブデン箔１２などが早期に酸化する心配があるが、フィラメント８から出る熱はビードガラス９に遮られて封止部３に達し難くなり、よって封止部３の温度上昇を防止することができる。この場合、フィラメント８の端部とビードガラス９の外縁を結んだ線の延長線Ｌが、封止部３の外を通過するようになっており、言い換えるとフィラメント８の端部からビードガラス９を臨んだ場合のビードガラス９外縁の展開角θの中に封止部３が存在されるようになっているから、フィラメント８と封止部３はビードガラス９を挾んで相互に陰になり、よってフィラメント８の熱はビードガラス９に遮られるから封止部３に達し難くなり、封止部３の温度上昇を一層確実に防止することができる。
【００４５】
また、封止部３を圧潰封止する場合、封止部３を加熱して軟化させるが、この場合石英材料である酸化ケイ素ＳｉＯ2 が昇華してバルブ２内に拡散しようとするが、この酸化ケイ素の昇華もビードガラス９に遮られるようになり、バルブ２内に拡散するのが抑止される。
【００４６】
なお、上記実施例においては、バルブ形状が円筒部５と楕円球部５を有する形状の場合について説明したが、本発明はこれに限らず、図６に示すような円筒形バルブの場合であっても実施可能である。すなわち、図６においては２は石英からなる円筒形バルブ、３は圧潰封止部、７は赤外線反射膜、８はフィラメント、９は遮蔽部材に相当するビードガラス、９ａはアンカ−ワイヤ、１０，１１は内部リード線、１２，１３はモリブデン箔、１６は絶縁ベース、１８は捩じ込み形口金、１９は端子である。
このような円筒形の片封止形ハロゲン電球の場合でも、本発明の条件を具備すれば、寿命末期に放電が発生した場合にもバルブの破損を防止することができる。
遮蔽部材やビードガラスの形状は、長円形状または棒状に限らず、円板形などであってもよい。
【００４７】
【発明の効果】
以上説明したように請求項１の発明によると、遮蔽部材が設けられている箇所のバルブの最大内径ａと遮蔽部材のバルブ径方向の最小幅ｂとの関係を、ａ≦２．５ｂとしたから、寿命末期にフィラメントの断線により放電が発生しても、この放電が封止部まで伸びるのが防止される。よって、封止部の金属箔導体の接続箇所のアークスポットが発生するのが回避されることになり、封止部の破損が防止される。
【００４８】
請求項２の発明によれば、遮蔽部材がリード線に支持されたビードガラスにより構成されているから、格別な遮蔽部材が不要であり、遮蔽部材の支持構造が簡単であるとともに、一対のリード線の間隔が遮蔽部材により一定に保たれる。
【００４９】
請求項３の発明によれば、円筒部は球形部に比べて細く形成されるので、円筒部に遮蔽部材を収容すると、この遮蔽部材の外周と円筒部の内面との間は一層狭隘な隙間となり、よって放電が通過し難くなる。このため放電が封止部まで伸びるのが防止される。
【００５０】
請求項４の発明によれば、バルブの内外いずれかの表面に可視光を透過する赤外線反射膜が設けられているから、フィラメントから放出される赤外線が赤外線反射膜で反射されてフィラメントに戻され、フィラメントが加熱されるから効率が向上する。そして、フィラメントの熱は遮蔽部材に遮られて封止部に達し難くなり、封止部の温度上昇を防止することができる。
【００５１】
請求項５の発明によれば、フィラメントと封止部は遮蔽部材を挾んで相互に陰になるから、点灯中においてフィラメントの熱が遮蔽部材に遮られて封止部に達し難くなり、封止部の温度上昇を一層確実に防止することができる。
請求項６の発明によれば、請求項１ないし請求項５に記載の白熱電球の利点を生かした反射形照明装置を提供することができる。
【図面の簡単な説明】
【図１】本発明の第１の実施例を示し、球形部と円筒部を有するハロゲン電球の斜視図。
【図２】同実施例のハロゲン電球の正面図。
【図３】赤外線反射膜を構成する多層干渉膜の構造を模式的に示す断面図。
【図４】同実施例のハロゲン電球の作用を説明する図。
【図５】図１ないし図４に示すハロゲン電球を光源とした反射形照明装置の断面図。
【図６】本発明の第２の実施例を示し、円筒形ハロゲン電球の斜視図。
【符号の説明】
１…ハロゲン電球
２…バルブ
３…封止部                  ４…円筒部
５…楕円球部                ６…細管
７…赤外線反射膜
８…フィラメント
９…ビードガラス（遮蔽部材）
２０…反射体
２１…反射面
２２…リフレクタ
【図１】
0003674078.tif 000003
【図２】
0003674078.tif 000004
【図３】
0003674078.tif 000005
【図４】
0003674078.tif 000006
【図５】
0003674078.tif 000007
【図６】
0003674078.tif 000008